(57)【要約】【課題】本発明では、上下部にバックライトを有するエッジ型バックライトを備えた液晶表示装置において、バックライトスキャンを行う際に、クロストークによる動画解像度の劣化が生じていた。【解決手段】点灯期間中の上部の光源６の輝度を傾斜を持って減少させ、点灯期間中の下部の光源６の輝度を傾斜を持って増加させる制御を行うことにより、特に画面中央部分で生じるクロストークによる動画解像度の劣化を抑制する液晶表示装置である。【選択図】図３
2013140189.tif 000002
【特許請求の範囲】
【請求項１】
液晶表示パネルと、
前記液晶表示パネルの背面に配置される導光板と、
前記導光板の長手方向に隣接して一方の辺縁に配置される第１の光源とそれに対向する辺縁に配置される第２の光源と、
前記光源の輝度の調節および点灯消灯を制御する電流制御部を備えた液晶表示装置であって、
前記電流制御部は、
一フレーム内において、オン／オフの位相をずらした状態で、少なくとも前記液晶表示パネルの上部の映像書き込み時に前記第１の光源を点灯させ、前記液晶表示パネルの下部の映像書き込み時に前記第２の光源を点灯させる制御を行い、
かつ
点灯期間中の前記第１の光源の輝度を傾斜を持って減少させ、及び／又は、点灯期間中の前記第２の光源の輝度を傾斜を持って増加させる制御を行うことを特徴とする液晶表示装置。
【請求項２】
前記電流制御部は、
点灯期間中の前記第１の光源の輝度を略線形に減少させ、及び／又は、点灯期間中の前記第２の光源の輝度を略線形に増加させる制御を行うことを特徴とする請求項１に記載の液晶表示装置。
【請求項３】
前記電流制御部は、
点灯期間中の前記第１の光源の輝度を点灯開始後しばらく一定で、その後消灯まで線形に減少させ、及び／又は、点灯期間中の前記第２の光源の輝度を点灯開始後線形に増加させ、その後消灯まで一定となるように制御を行うことを特徴とする請求項１記載の液晶表示装置。
【請求項４】
前記電流制御部は、
点灯期間中の前記第１の光源の輝度を点灯開始後しばらく一定で、その後ステップ状に減少後消灯まで一定にし、及び／又は、点灯期間中の前記第２の光源の輝度を点灯開始後しばらく一定で、その後ステップ状に増加させ、その後消灯まで一定とする制御を行うことを特徴とする請求項１記載の液晶表示装置。
【請求項５】
前記電流制御部は、
点灯期間中の前記第１の光源の輝度を点灯開始後曲線状に増加させピーク後曲線状に減少させた後消灯させ、及び／又は、点灯期間中の前記第２の光源の輝度が点灯開始後曲線状に増加させピーク後曲線状に減少させる制御を行うことを特徴とする請求項１記載の液晶表示装置。
【請求項６】
液晶表示パネルに書き込まれる画像の特徴を判別する映像判別部を有し、前記映像判別部により判別された画像の特徴量に基づいて、
前記電流制御部は、
点灯期間中の前記第１の光源の輝度の減少幅、及び／又は、点灯期間中の前記第２の光源の輝度の増加幅を調節する制御を行うことを特徴とする
請求項１ないし５記載の液晶表示装置。
【請求項７】
液晶表示パネルに書き込まれる画像の特徴を判別する映像判別部を有し、前記映像判別部により画像の特徴量が所定の閾値を越えると判別された場合に、
前記電流制御部は、
請求項１ないし５記載の制御を行うことを特徴とする液晶表示装置。
【請求項８】
液晶表示パネルに書き込まれる領域ごとの画像の特徴を判別する映像判別部を有し、
前記映像判別部により一又は複数の特定の領域の画像の特徴量に基づいて、
前記電流制御部は、
点灯期間中の前記第１の光源の輝度の減少幅、及び／又は、点灯期間中の前記第２の光源の輝度の増加幅を調節する制御を行うことを特徴とする
請求項１ないし５記載の液晶表示装置。
【請求項９】
液晶表示パネルに書き込まれる領域ごとの画像の特徴を判別する映像判別部を有し、
前記映像判別部に一又は複数の特定の領域の画像の特徴量が所定の閾値を越えると判別された場合に、
前記電流制御部は、
請求項１ないし５記載の制御を行うことを特徴とする液晶表示装置。
【請求項１０】
液晶表示パネルに書き込まれる画像の特徴を判別する映像判別部を有し、前記映像判別部により判別された画像の特徴量に基づいて、
前記電流制御部は、
前記第１及び／又は第２の光源の点灯期間の制御を行うことを特徴とする請求項１ないし５記載の液晶表示装置。
【請求項１１】
前記画像の特徴量は書き込まれる画像の動き量であることを特徴とする請求項６ないし１０記載の液晶表示装置。
【請求項１２】
前記画像の特徴量は書き込まれる画像の輝度であることを特徴とする請求項６ないし１０記載の液晶表示装置。
【発明の詳細な説明】
【技術分野】
【０００１】
本発明は、動画表示性能を向上したエッジ型バックライトを備えた液晶表示装置に関するものである。
【背景技術】
【０００２】
液晶表示装置のバックライトとして、画面の背後にバックライトを配置した直下型に加えて、より薄型の液晶表示装置を実現するために画面の背後に設けた導光板と略同一平面上の辺縁に光源を配置したエッジ型バックライトについても多く開示されている。例えば、特許文献１がある。
【先行技術文献】
【特許文献】
【０００３】
【特許文献１】特開２００９−１９９９２６号公報
【発明の概要】
【発明が解決しようとする課題】
【０００４】
しかしながら、上述した液晶表示装置においては、以下のような課題が生じていた。図１０は従来の液晶表示装置の垂直同期信号、書き込み映像信号、上部および下部光源の駆動波形のタイミング図を示す。書き込み映像信号は、液晶表示パネルを駆動するのに必要な映像信号である。映像の書き込みは、液晶表示画面の上部から下部にかけて順次行われる。そのため、図１０に示されるように、液晶表示画面の上部は、書き込み映像信号の周期の前半に映像が書き込まれ、下部はその信号周期の後半に書き込まれる。
【０００５】
ところで、液晶表示装置は、ホールド型デバイスであり、液晶表示画面に書き込み映像信号の映像が書き込まれるまで、１つ前のフレームで書き込まれた映像を保持する。そして、パネル垂直同期信号の１フレームごとに、保持された１つ前のフレームの映像と、現フレームの映像とを切り替えることにより、液晶表示画面に動画を表示する。
【０００６】
一方、光源の駆動においては、光源駆動部により光源の駆動波形が整形され、かかる駆動波形により上部および下部光源が駆動する。図１０に示す従来のエッジ型バックライトを備えた液晶表示装置では、液晶表示画面の上部の映像が書き込まれているタイミングで上部光源の駆動波形を点灯にし、映像の書き込みが上部から下部に移行するタイミングで上部光源を消灯し下部光源の点灯を開始し、液晶表示画面の下部の映像が書き込まれているタイミングで下部光源の駆動波形を点灯にしている。このようにして、速い動きのあるシーンを表示する際に残像感を解消するために、光源を常灯とせず、映像書き込み信号のタイミングにより最適な位相で上下部の光源を明滅制御させるバックライトスキャンを採用している。
【０００７】
しかし、このようなバックライトスキャンにより駆動すると下記のような課題が生じた。上部（下部）の光源を点灯から消灯させ、画面の上部（下部）を黒表示させたい場合でも、下部(上部)の光源からの漏れ光が上部(下部)画面にも及び、クロストークが生じるため完全に黒表示されず、いわゆる黒浮きが生じた。特に画面中央部は、上下部の光源から等距離に位置しているため、漏れ光による影響が大きい。
【０００８】
そこで、本発明では、エッジ型バックライトを備えた液晶表示装置において、特に画面中央部分で生じるクロストークによる動画解像度の劣化を抑制した表示装置及び表示装置の駆動方法を提供することを目的とするものである。
【課題を解決するための手段】
【０００９】
これらの課題を解決するために、本発明における液晶表示装置は、液晶表示パネルと、前記液晶表示パネルの背面に配置される導光板と、前記導光板の長手方向に隣接して一方の辺縁に配置される第１の光源とそれに対向する辺縁に配置される第２の光源と、前記光源の輝度の調節および点灯消灯を制御する電流制御部を備えた液晶表示装置であって、前記電流制御部は、一フレーム内において、オン／オフの位相をずらした状態で、少なくとも前記液晶表示パネルの上部の映像書き込み時に前記第１の光源を点灯させ、前記液晶表示パネルの下部の映像書き込み時に前記第２の光源を点灯させる制御を行い、かつ点灯期間中の前記第１の光源の輝度を傾斜を持って減少させ、及び／又は、点灯期間中の前記第２の光源の輝度を傾斜を持って増加させる制御を行う構成を有する。かかる構成を有することにより、上部または下部光源から画面中央付近への漏れ光の光量を制限できるため、特に画面中央部分で生じるクロストークによる動画解像度の劣化を抑制することができる。
【００１０】
上述の電流制御部は、点灯期間中の前記第１の光源の輝度を略線形に減少させ、及び／又は、点灯期間中の前記第２の光源の輝度を略線形に増加させる制御を行うことができる。かかる構成を有することにより、クロストークによる動画解像度の劣化を抑制することができる。
【００１１】
また、上述の電流制御部は、点灯期間中の前記第１の光源の輝度を点灯開始後しばらく一定で、その後消灯まで線形に減少させ、及び／又は、点灯期間中の前記第２の光源の輝度を点灯開始後線形に増加させ、その後消灯まで一定となるように制御を行うことができる。かかる構成を有することにより、クロストークによる動画解像度の劣化を抑制しつつ、液晶表示画面に映し出される画像の輝度の低下を防止することができる。
【００１２】
また、上述の電流制御部は、点灯期間中の前記第１の光源の輝度を点灯開始後しばらく一定で、その後ステップ状に減少後消灯まで一定にし、及び／又は、点灯期間中の前記第２の光源の輝度を点灯開始後しばらく一定で、その後ステップ状に増加させ、その後消灯まで一定とする制御を行うことができる。かかる構成を有することにより、クロストークによる動画解像度の劣化を抑制しつつ、液晶表示画面に映し出される画像の輝度の低下を防止することができる。
【００１３】
また、上述の電流制御部は、点灯期間中の前記第１の光源の輝度を点灯開始後曲線状に増加させピーク後曲線状に減少させた後消灯させ、及び／又は、点灯期間中の前記第２の光源の輝度が点灯開始後曲線状に増加させピーク後曲線状に減少させる制御を行うことができる。かかる構成を有することにより、クロストークによる動画解像度の劣化を抑制でき、しかも、簡単な回路構成で実現することができる。
【００１４】
また、液晶表示パネルに書き込まれる画像の特徴を判別する映像判別部を有し、前記映像判別部により判別された画像の特徴量に基づいて、前記電流制御部は、点灯期間中の前記第１の光源の輝度の減少幅、及び／又は、点灯期間中の前記第２の光源の輝度の増加幅を調節する制御を行うことができる。かかる構成を有することにより、表示される画像の特徴に応じて、クロストークによる動画解像度の劣化を抑制しつつ、液晶表示画面に映し出される画像の輝度のバランスを実現することができる。
【００１５】
また、液晶表示パネルに書き込まれる画像の特徴を判別する映像判別部を有し、前記映像判別部により画像の特徴量が所定の閾値を越えたと判別された場合に、前記電流制御部は、本発明の特徴となる制御を行うことができる。かかる構成を有することにより、表示される画像の特徴により、必要な場合のみ本発明の特徴となる制御を行うことで、クロストークによる動画解像度の劣化を抑制しつつ、簡易な制御を実現することができる。
【００１６】
また、液晶表示パネルに書き込まれる領域ごとの画像の特徴を判別する映像判別部を有し、前記映像判別部により一または複数の特定の領域の画像の特徴量に基づいて、前記電流制御部は、点灯期間中の前記第１の光源の輝度の減少幅、及び／又は、点灯期間中の前記第２の光源の輝度の増加幅を調節する制御を行うことができる。かかる構成を有することにより、表示される画像の特徴に応じて、クロストークによる動画解像度の劣化を抑制しつつ、液晶表示画面に映し出される画像の輝度のバランスを実現できる。
【００１７】
また、液晶表示パネルに書き込まれる領域ごとの画像の特徴を判別する映像判別部を有し、前記映像判別部に一又は複数の特定の領域の画像の特徴量が所定の閾値を越えたと判別された場合に、前記電流制御部は、本願発明の特徴となる制御を行うことができる。かかる構成を有することにより、表示される画像の特徴により、必要な場合のみ本発明の特徴となる制御を行うことで、クロストークによる動画解像度の劣化を抑制でき、簡易な制御を実現することができる。
【００１８】
映像判別部により判別された画像の特徴量に基づいて前記電流制御部は、第１及び／又は第２の光源の点灯期間の制御を行うことを特徴とする。かかる構成を有することにより、表示される画像の特徴に応じて、クロストークによる動画解像度の劣化を抑制しつつ、液晶表示画面に映し出される画像の輝度のバランスを実現することができる。
【００１９】
前記画像の特徴量としては、書き込まれる画像の動き量である構成とすることができる。かかる構成を有することにより、映し出される画像の動きの早さに応じた制御をすることができる。
【００２０】
前記画像の特徴量としては、書き込まれる画像の輝度である構成とすることができる。かかる構成を有することにより、映し出される画像の明るさに応じた制御をすることができる。
【発明の効果】
【００２１】
上述した構成により、本発明においては、エッジ型バックライトを備えた液晶表示装置において、特に画面中央部分で生じるクロストークによる動画解像度の劣化を抑制することができる。
【図面の簡単な説明】
【００２２】
【図１】本発明の実施の形態１における液晶表示装置の構成を示す図
【図２】本発明の実施の形態１における液晶表示装置の構成を示すブロック図
【図３】本発明の実施の形態１におけるパネル垂直同期信号、書き込み映像信号、光源駆動波形のタイミング図
【図４】本発明の実施の形態２におけるパネル垂直同期信号、書き込み映像信号、光源駆動波形のタイミング図
【図５】本発明の実施の形態３におけるパネル垂直同期信号、書き込み映像信号、光源駆動波形のタイミング図
【図６】本発明の実施の形態４におけるパネル垂直同期信号、書き込み映像信号、光源駆動波形のタイミング図
【図７】本発明の実施の形態５における液晶表示装置の構成を示すブロック図
【図８】本発明の実施の形態５におけるパネル垂直同期信号、書き込み映像信号、光源駆動波形のタイミング図
【図９】本発明の実施の形態６におけるパネル垂直同期信号、書き込み映像信号、光源駆動波形のタイミング図
【図１０】従来の液晶表示装置のパネル垂直同期信号、書き込み映像信号、光源駆動波形のタイミング図
【００２３】
（実施の形態１）
本発明について、図１から図３を参照しながら、説明する。なお、本実施の形態において説明した液晶表示装置及び液晶表示装置の駆動方法はその一例であって、本発明はこれに限定されるものではない。
【００２４】
最初に、図１の本発明の液晶表示装置の前面図と側面図を参照しながら、本発明の液晶表示装置の各構成について詳細に説明する。本発明の液晶表示装置は、入力映像を表示する液晶表示パネル３と、その液晶表示パネル３の背面に設置された導光板８、導光板８に隣接して、その長手方向の上部に配置された上部光源６と、その長手方向の下部に配置された下部光源６により構成されている。光源６として具体的には、冷陰極蛍光管ランプや発光ダイオードなどを用いることができる。なお、上部光源６と下部光源６を特に区別する必要がない場合には、単に光源６と言う。光源６からの光は、導光板８により導光されて、面発光に変換され、液晶表示画面（図示せず）を照射する。
【００２５】
次に、表示装置の具体的な駆動方法について、図２と図３を参照しながら説明する。ここで、図２は、本発明の液晶表示装置の構成を示すブロック図である。
【００２６】
本実施の形態に係る液晶表示装置は、図２に示すように、信号処理部１と、信号出力部２と、液晶表示パネル３とが設けられており、さらに、デューティ／位相制御部４と電流制御部７と、光源駆動部５と光源６がそれぞれ上部、下部に設けられている。
【００２７】
信号処理部１は、入力された映像信号、および、同期信号を、スケーリングや必要な信号処理を行うことによって、パネル垂直同期信号と書き込み映像信号を生成する。そして、信号処理部１は、これらの信号をデジタル信号として、信号出力部２に出力する。
【００２８】
信号出力部２は、信号処理部１から入力されるデジタル信号を、例えば、ＬＶＤＳ（Low Voltage Differential Signal）に変換し、その信号を液晶表示パネル３に出力する。信号処理部１は、この信号出力部２を経由して、パネル垂直同期信号と書き込み映像信号を液晶表示パネル３へ出力する。
【００２９】
液晶表示パネル３は、パネル垂直同期信号と、書き込み映像信号を、信号出力部２から受ける。液晶表示パネル３は、それらの信号に基づいて液晶表示画面に映像が書き込まれる。この液晶表示画面（図示しない）は、ここでは上部と下部に概念的に区切るものとする。
【００３０】
また、信号処理部１は、上部・下部の光源６を制御する信号を生成し、その信号をそれぞれ上部・下部のデューティ／位相制御部４に出力する。ここでこの信号は、パネル垂直同期信号と同期されており、パネル垂直同期信号と同じ周期を有する。
【００３１】
デューティ／位相制御部４は、信号処理部１で生成される信号を、任意のデューティおよび位相信号を光源駆動部５に出力するとともに、電流制御信号を電流制御部７に出力する。光源駆動部５は、デューティ／位相制御部４からのデューティおよび位相信号と電流制御部７からの電流制御信号に基づいて、光源駆動波形を生成し、光源６を駆動する。
【００３２】
図３は、パネル垂直同期信号、書き込み映像信号、上部および下部光源の駆動波形のタイミング図を示す。書き込み映像信号は、液晶表示パネル３を駆動するのに必要な映像信号である。映像信号は、信号出力部２から液晶表示パネル３に入力され、液晶表示画面に映像が書き込まれる。映像の書き込みは、従来の液晶表示装置と同様に、液晶表示画面の上
部から下部にかけて順次行われ、液晶表示画面の上部は、書き込み映像信号の周期の前半に映像が書き込まれ、下部はその信号周期の後半に書き込まれる。
【００３３】
本実施の形態では、オン／オフの位相をずらした状態で、少なくとも前記液晶表示パネルの上部の映像書き込み時に前記第１の光源を点灯させ、前記液晶表示パネルの下部の映像書き込み時に前記第２の光源を点灯させる制御を行い、上部光源６の点灯期間中の発光強度を傾きをもって線形に減少させ、下部光源６の点灯期間中の発光強度を傾きをもって線形に増加させるようにすることで、特に画面中央部分で生じるクロストークによる動画解像度の劣化を抑制することができる。
【００３４】
本発明の実施の形態は、上記にとらわれない。すなわち、図３に示すとおり、点灯の位相を逆転させて、液晶表示画面の上部の映像が書き込まれているタイミングで下部光源の駆動波形を点灯にし、映像の書き込みが上部から下部に移行するタイミングで、下部光源６を消灯し上部光源６を点灯を開始して、液晶表示画面の下部の映像が書き込まれているタイミングで上部光源の駆動波形を点灯する場合にも、同様の効果を有する。
【００３５】
このように、一フレーム内で上部光源６と下部光源６の発光の順番が、上部から下部であっても、下部から上部の順番であっても同様な効果を有する。以下では、特に必要な場合を除き、上部と下部に特定せず、一フレーム内で先に点灯を開始する光源６を第１の光源６とし、遅れて点灯を開始する光源６を第２の光源６とする。
【００３６】
また、図３では、デューティが５０%の場合を例示しているが、これに限られるものではなく、上下部の点灯の位相をずらしたバックライトスキャンが行われる限り、本願発明の効果を奏する。
【００３７】
（実施の形態２）
本実施の形態に係る液晶表示装置を、図４を用いて説明する。なお、以下で新たに説明しない構成については、実施の形態１と同じであるものとする。
【００３８】
図４は、パネル垂直同期信号、書き込み映像信号、第１および第２の光源６の駆動波形のタイミング図を示す。
【００３９】
実施の形態２では、点灯期間中の第1の光源６の輝度を点灯開始後しばらく一定で、その後消灯まで線形に減少させ、点灯期間中の第２の光源６の輝度を点灯開始後線形に増加させ、その後消灯まで一定となるように制御を行うことで、それぞれ第１の光源６と第２の光源６の輝度に傾斜を持たせている。
【００４０】
このような制御を行うことにより、特に画面中央部分で生じるクロストークによる動画解像度の劣化を抑制することができる。また、通常輝度にて発光させる期間を持たせることで、液晶表示画面に映し出される画像の輝度の低下を防止することができる。
【００４１】
（実施の形態３）
本実施の形態に係る液晶表示装置を、を用いて説明する。なお、以下で新たに説明しない構成については、上述の実施の形態と同じであるものとする。
【００４２】
図５は、パネル垂直同期信号、書き込み映像信号、第１および第２の光源６の駆動波形のタイミング図を示す。
【００４３】
実施の形態３では、点灯期間中の前記第1の光源６の輝度を点灯開始後しばらく一定で、その後ステップ状に減少後消灯まで一定にし、点灯期間中の前記第２の光源６の輝度を点
灯開始後しばらく一定で、その後ステップ状に増加させ、その後消灯まで一定とする制御を行うことで、発光強度に傾斜を持たせている。
【００４４】
このような制御を行うことにより、特に画面中央部分で生じるクロストークによる動画解像度の劣化を抑制することができる。また、実施の形態２と同様に、第１および第２の光源６ともに、通常輝度にて発光させる期間を持たせることで、液晶表示画面に映し出される画像の輝度の低下を防止することができる。
【００４５】
（実施の形態４）
本実施の形態に係る液晶表示装置を、図６を用いて説明する。なお、以下で新たに説明しない構成については、上述の実施の形態と同じであるものとする。
【００４６】
図６は、図３と同様に、パネル垂直同期信号、書き込み映像信号、第１および第２の光源６の駆動波形のタイミング図を示す。
【００４７】
実施の形態４では、点灯期間中の前記第１の光源６の輝度を点灯開始後曲線状に増加させピーク後曲線状に減少させた後消灯させ、点灯期間中の前記第２の光源６の輝度が点灯開始後曲線状に増加させピーク後曲線状に減少させる制御を行うことで、発光強度に傾斜を持たせている。
【００４８】
このような制御を行うことにより、比較的容易な駆動回路により、クロストークによる動画解像度の劣化を抑制することができる。
【００４９】
（実施の形態５）
本実施の形態に係る液晶表示装置を、図７、８を用いて説明する。なお、以下で新たに説明しない構成については、上述の実施の形態と同じであるものとする。
【００５０】
図７は、液晶表示装置の構成を示すブロック図を示す。図７の構成は、実施の形態１で示した図２と大部分が同じであるが、新たに映像判別部９の構成が追加されている。かかる映像判別部９は、信号処理部から画像信号を受け取り、映像の特徴を判別する。映像判別部９により判別された画像の特徴量に基づいて、前記電流制御部７は、点灯期間中の前記第１の光源の輝度の減少幅、点灯期間中の前記第２の光源の輝度の増加幅を調節する制御を行う。
【００５１】
映像判別部９で判別される画像の特徴量としては、画像の動き量（複数フレームの入力映像信号の差異をいう。）や画像の輝度などが考えられるがこれに限定されるものではない。以下、映像判別部９で判別される画像の特徴量が画像の動き量である場合について説明する。
【００５２】
一般に、クロストークによる動画解像度の劣化は、映し出される画像の動きが激しい（画像の動き量が大きい）程目立ちやすく、画像が静止画に近い（画像の動き量が小さい）場合ほど、人の目には目立たなくなる。そこで、映し出される画像の動き量の特徴を検出して、静止画に近い程、点灯期間中の第１および第２の光源の輝度の傾斜を緩やかにし、第１の輝度の減少幅を小さくし、また、第２の輝度の増加幅を小さくする。このことにより、液晶表示画面に映し出される画像の輝度の低下を防止することができる。一方、動画の動きが激しい画像の場合には、点灯期間中の第１および２の光源の輝度の傾斜を急にし、第１の輝度の減少幅を大きく、第２の輝度の増加幅を大きくする。そのことにより、特に画面中央部分で生じるクロストークによる動画解像度の劣化を抑制することができる。
【００５３】
ここで、映像判別部９による画像の動き量の判別方法について以下例示する。映像判別部
９は、入力された入力映像を１フレーム分記録するフレームメモリと、フレームメモリから出力された映像と、現在入力された入力映像との動きベクトルの差分を領域ごとに計算する差分計算手段と、差分計算手段により計算された動きベクトルの差分を１フレーム分合計する合計手段を有する。この合計手段により合計された動きベクトルの値が大きい程、動画の動きが激しく（動き量が大きい）、動きベクトルの値が小さい程、静止画に近い（動き量が小さい）画像と言うことになる。
【００５４】
なお、動き量の判別方法はこれに限定されるものではなく、画像の周波数を判別する方法、濃度ヒストグラム、周波数ヒストグラム等の構成を採用することも可能である。
【００５５】
上記の制御手段においては、動き量に応じて第１および第２の光源の輝度の傾斜を調節する制御方法であるが、それ以外の制御方法について以下説明する。
【００５６】
映像判別部９により画像の特徴量が所定の閾値を超えたと判別された場合に、前記電流制御部７は本発明の特徴となる制御を行うこともできる。例えば、映像判別部９は、上記方法等により、画像の動き量を判別し、その動き量が予め設定された所定の閾値を超えている場合には、予め設定された通りに、１フレーム期間中の第１第２の光源の輝度に傾斜を持たせる制御を行い、クロストークによる動画解像度の劣化を抑制する。一方、閾値未満の場合には、第１第2の光源の輝度に傾斜を設けず、通常の制御を行い、映し出される画像の輝度を維持する。
【００５７】
上記の制御手段においては、一フレーム内に表示される画像全体の動き量に応じた制御方法であるが、それ以外の制御方法について説明する。
【００５８】
液晶表示画面を概念的に複数の領域に分割し、映像判別部９により一または複数の特定の領域の画像の特徴量に基づいて、前記電流制御部７は、点灯期間中の前記第１の光源６の輝度の減少幅、点灯期間中の前記第２の光源６の輝度の増加幅を調節する制御を行う。
【００５９】
このような制御を行う例を以下例示する。上下部に光源を有するエッジ型バックライトを備えた液晶表示装置では、バックライトスキャンを行うことにより画面中央部分で生じるクロストークにより動画解像度が劣化することは既に説明した通りである。そこで、液晶表示画面の中央部を特定の領域と設定し、画像の特徴量として動き量を判別するように設定しておく。そうすると、映像判別部９は、液晶表示画面の中央部の画像の動き量を判別し、この判別結果に基づいて、電流制御部７は、点灯期間中の前記第１の光源の輝度の減少幅、点灯期間中の前記第２の光源の輝度の増加幅を調節する制御を行うことができる。これにより、例えば、画面全体では激しい動きがない場合であっても、中央部分の動きが大きい映像が映し出される場合には、第１第２の光源の輝度の傾斜幅を大きくするように調節する制御を行い、第１の光源の減少幅を大きくし、第２の光源の増加幅を大きくすることができ、画面の中央部での動画解像度の劣化を抑制することができる。
【００６０】
別の例について図８を用いて説明する。図８は、図３はパネル垂直同期信号、書き込み映像信号、上部および下部光源の駆動波形のタイミング図を示す。液晶表示画面の上部および下部をそれぞれ特定の領域と設定し、画像の特徴量として動き量を判別するように設定しておく。そうすると、映像判別部９は、液晶表示画面の上部および下部のそれぞれの画像の動き量を判別し、これに基づいて電流制御部７は、点灯期間中の前記第１の光源６の輝度の減少幅、点灯期間中の前記第２の光源６の輝度の増加幅を調節する制御を行うことができる。例えば、液晶表示画面の上部に激しい動きがあり、下部にはあまり動きが大きくない映像を映し出される場合には、電流制御部７は、点灯期間中の上部の光源６の輝度の傾斜を小さくし、下部の光源６の傾斜を大きくして、上部の光源６の減少幅を小さくし、下部の光源６の増加幅を大きくする。逆に、液晶表示画面の下部に激しい動きがあり、
上部にはあまり動きが大きくない映像を映し出される場合には、電流制御部７は、点灯期間中の上部の光源の輝度の傾斜を大きくし、下部の光源６の傾斜を小さくして、上部の光源６の減少幅を大きくし、下部の光源６の増加幅を小さくする。このような制御を行うことで、動きが大きな映像が映し出される部分の輝度を上げ、動きが小さな映像が映し出される部分の輝度を下げることにより、より動きが大きな映像部分のコントラストを上げることで画像が鮮明に映し出され、動画解像度の劣化を抑制することができる。
【００６１】
上記の制御手段においては、一又は複数の特定領域の動き量に応じて第１および第２の光源の輝度の傾斜を調節する制御を記載したが、それ以外の制御方法について説明する。
【００６２】
映像判別部９により一又は複数の領域の画像の映像信号の特徴量が所定の閾値を超えたと判別された場合に、前記電流制御部７は本発明の特徴となる制御を行うこともできる。
例えば、映像判別部９は、予め設定された特定の領域の画像の動き量を判別し、その動き量が予め設定された所定の閾値を超えている場合には、予め設定された通りに、１フレーム期間中の第１および第２の光源の輝度に傾斜を持たせた制御を行うことで、クロストークによる動画解像度の劣化を抑制する。一方、閾値未満の場合には、第１第2の光源の輝度に傾斜を設けず通常の制御を行う。
【００６３】
（実施の形態６）
本実施の形態に係る液晶表示装置を、図９を用いて説明する。なお、以下で新たに説明しない構成については、上述の実施の形態と同じであるものとする。
【００６４】
図９は、パネル垂直同期信号、書き込み映像信号、上部および下部光源６の駆動波形のタイミング図を示す。
【００６５】
実施の形態６では、液晶表示パネルに書き込まれる画像の特徴を判別する映像判別部を有し、映像判別部により判別された画像の特徴量に基づいて、電流制御部は、前記第１及び／又は第２の光源の点灯期間の制御を行う。クロストークによる動画解像度の劣化が際立つのは、書き込まれる画像の動画の動きが激しい場合である。したがって、静止画やそれに近い画像などの場合には、クロストークによる動画解像度の劣化を気にする必要性が小さい。一方、第１第２の光源の輝度に傾斜を設けると全体的な輝度が低下する。そこで、静止画やそれに近い動き量が小さい画像が映し出される場合には、デューティをあげることで画像の輝度の低下を防ぐことができる。一方、書き込まれる画像の動画の動きが激しい動き量が大きい画像が映し出される場合には、デューティを下げることでクロストークによる動画解像度の劣化を抑制する制御を行う。かかる制御により、表示される画像の特徴に応じて、クロストークによる動画解像度の劣化を抑制しつつ、液晶表示画面に映し出される画像の輝度のバランスを実現することができる。
【産業上の利用可能性】
【００６６】
本発明では、エッジ型バックライトを備えた液晶表示装置において、一フレーム内において、オン／オフの位相をずらした状態で、前記第１および第２の光源を一定期間点灯させる制御を行い、かつ点灯期間中の上部の光源６の輝度を傾斜を持って減少させ、点灯期間中の下部の光源６の輝度を傾斜を持って増加させる制御を行うことで、クロストークによる動画解像度の劣化を抑制する液晶表示装置に有用である。
【符号の説明】
【００６７】
１  信号処理部
２  信号出力部
３  液晶表示パネル
４  デューティ／位相制御部
５  光源駆動部
６  光源
７  電流制御部
８  導光板       
９  映像判別部
【図１】
2013140189.tif 000003
【図２】
2013140189.tif 000004
【図３】
2013140189.tif 000005
【図４】
2013140189.tif 000006
【図５】
2013140189.tif 000007
【図６】
2013140189.tif 000008
【図７】
2013140189.tif 000009
【図８】
2013140189.tif 000010
【図９】
2013140189.tif 000011
【図１０】
2013140189.tif 000012